(57)【要約】【課題】移動体の移動状況に追従した運行情報を提供する。【解決手段】本発明に係る運行情報提供装置１０は、通信端末１又は通信端末２から提供される所定の情報に基づいて、路線を移動する移動体の運行情報を生成する生成部１１と、この生成部１１により生成された運行情報を通信端末１及び通信端末２に提供可能な提供部１２と、を備えて構成されている。運行情報提供システムとして、運行情報提供装置１０を具備している。運行状況提供方法として、通信端末１又は通信端末２から提供される所定の情報に基づいて、移動体の運行情報を生成し、生成した運行情報を通信端末１及び通信端末２に提供可能としている。【選択図】      図１
2015199474.tif 000002
【特許請求の範囲】
【請求項１】
通信端末から提供される所定の情報に基づいて、路線を移動する移動体の運行情報を生成する生成手段と、
前記生成手段により生成された前記運行情報を前記通信端末に提供可能な提供手段と、を備える、
ことを特徴とする運行情報提供装置。
【請求項２】
前記生成手段は、
予め設定された前記移動体の運行情報、及び前記通信端末から提供される前記所定の情報に基づいて、前記運行情報を生成する、
ことを特徴とする請求項１記載の運行情報提供装置。
【請求項３】
前記生成手段は、
予め設定された前記移動体の運行情報、及び前記通信端末から提供される前記所定の情報に基づいて、所定位置の到着予定情報を生成する、
ことを特徴とする請求項１又は２記載の運行情報提供装置。
【請求項４】
前記通信端末から前記所定の情報が提供されてから所定時間が経過した場合には、この所定の情報を破棄する第１の情報破棄手段をさらに備える、
ことを特徴とする請求項１乃至３の何れか一項に記載の運行情報提供装置。
【請求項５】
前記通信端末から提供される前記所定の情報のうち、前記通信端末の位置情報が所定の位置情報でない場合には、前記所定の情報を破棄する第２の情報破棄手段をさらに備える、
ことを特徴とする請求項１乃至４の何れか一項に記載の運行情報提供装置。
【請求項６】
請求項１乃至５の何れか一項に記載の運行情報提供装置と、
前記運行情報提供装置との通信を行う複数の通信端末と、を備える、
ことを特徴とする運行情報提供システム。
【請求項７】
通信端末から提供される所定の情報に基づいて、路線を移動する移動体の運行情報を生成し、
生成した移動情報状況を前記通信端末に提供可能とする、
ことを特徴とする運行情報提供方法。
【発明の詳細な説明】
【技術分野】
【０００１】
本発明は、運行情報提供装置、運行情報提供システム及び運行情報提供方法に関し、特に、通信端末に移動体の運行情報を提供することが可能な運行情報提供装置、運行情報提供システム及び運行情報提供方法に関する。
【背景技術】
【０００２】
電車、バス等の移動体を利用する際に、遅延に巻き込まれることがある。このような場合、例えば、鉄道会社が情報を整理した後に、利用者に駅構内又は関連サイトを用いて移動体の運行情報を提供している。
【０００３】
ここで、利用者は、遅延に巻き込まれた際に、鉄道会社等から提供された運行情報に基づいて、このまま待機するか、或いは他の移動手段に変更するか等を判断している。
【０００４】
例えば、関連サイトを用いて移動体の運行情報を提供するものとして、特許文献１には、交通機関の運行状況情報提供システムが開示されている。具体的には、この特許文献１は、運行情報管理端末により移動体運行情報を生成し、生成した移動体運行情報を交通機関のホームページ上で提供している。これにより、特許文献１では、利用者が交通機関のホームページ上で移動体の位置を把握することを可能にしている。
【先行技術文献】
【特許文献】
【０００５】
【特許文献１】特開２００２−３７０７４号公報
【発明の概要】
【発明が解決しようとする課題】
【０００６】
ところで、上記特許文献１では、交通機関のホームページ上で移動体運行情報を提供しているが、この交通機関のホームページ上にアップされるまでに、時間を要する可能性がある。
【０００７】
詳述すると、上記特許文献１は、運行情報管理端末により運行情報（移動体運行情報）を生成しているが、この運行情報をどのように生成しているかまでは言及していない。
【０００８】
したがって、上記特許文献１では、移動体の移動状況が刻々と変化する場合において、この移動状況に追従した運行情報を提供するという点で改善の余地がある。
【０００９】
そこで、本発明の目的は、このような実状に鑑みて、移動体の移動状況に追従した運行情報を提供することが可能な運行情報提供装置、運行情報提供システム及び運行情報提供方法を提供することにある。
【課題を解決するための手段】
【００１０】
上記目的を達成するために、運行情報提供装置は、通信端末から提供される所定の情報に基づいて、路線を移動する移動体の運行情報を生成する生成手段と、上記生成手段により生成された上記運行情報を上記通信端末に提供可能な提供手段と、を備えて構成されている。
【００１１】
上記目的を達成するために、運行情報提供システムは、上記運行情報提供装置と、この運行情報提供装置との通信を行う複数の通信端末と、を備えて構成されている。
【００１２】
上記目的を達成するために、運行情報提供方法は、通信端末から提供される所定の情報に基づいて、路線を移動する移動体の運行情報を生成し、生成した移動情報状況を上記通信端末に提供可能としている。
【発明の効果】
【００１３】
本発明によれば、利用者が、移動体の移動状況に追従した運行情報を提供することができる。
【図面の簡単な説明】
【００１４】
【図１】本発明の一実施形態（第１の実施形態）に係る運行情報提供装置を具備する運行情報提供システムのシステム構成図である。
【図２】本発明の他の実施形態（第２の実施形態）に係る運行情報提供装置を具備する運行情報提供システムのシステム構成図である。
【図３】本発明の他の実施形態（第２の実施形態）に係る運行情報提供装置を具備する運行情報提供システムのブロック図である。
【図４】本発明の他の実施形態（第２の実施形態）に係る情報更新処理のフローチャートである。
【図５】本発明の他の実施形態（第２の実施形態）に係る情報提供処理のフローチャートである。
【図６】本発明の他の実施形態（第３の実施形態）に係る運行情報提供装置を具備する運行情報提供システムのブロック図である。
【図７】本発明の他の実施形態（第３の実施形態）に係る情報提供処理のフローチャートである。
【発明を実施するための形態】
【００１５】
以下、図面を用いて、本発明の実施形態について説明する。
【００１６】
（第１の実施形態）
図１を用いて、本発明の一実施形態（第１の実施形態）について説明する。図１は、本発明の一実施形態（第１の実施形態）に係る運行情報提供装置１０を具備する情報送信システムのシステム構成図である。
【００１７】
図１に例示されるように、運行情報提供装置１０は、生成部（生成手段）１１及び提供部（提供手段）１２を具備している。この生成部１１は、通信端末１又は通信端末２から提供される所定の情報に基づいて、路線を移動する移動体の運行情報を生成する役目を果たしている。
【００１８】
なお、本実施形態において、所定の情報とは、通信端末の位置情報、通信端末が位置する移動体（利用者が利用している移動体）の運行情報等をいう。また、運行情報とは、移動体の現在位置情報、遅延情報等をいう。
【００１９】
したがって、この生成部１１は、通信端末１又は通信端末２から提供される通信端末の位置情報、移動体の運行情報等に基づいて、移動体の現在位置情報、遅延情報等を生成しているといえる。
【００２０】
また、運行情報提供装置１０は、上述したように、提供部１２を具備している。この提供部１２は、生成部１１により生成された運行情報を通信端末１又は通信端末２に提供する役目を果たしている。
【００２１】
ここで、本実施形態の運行情報提供装置１０、及び運行情報提供装置１０を具備する運行情報提供システムの適用例として、一例を示すと、Ａ駅、Ｂ駅、Ｃ駅の順で、駅舎が並んだ路線を移動体Ｘが運行しているとする。また、Ｄ駅、Ｅ駅、Ｃ駅の順で、駅舎が並んだ路線を移動体Ｙが運行しているとする。そして、移動体Ｘには、通信端末１を携帯している利用者Ａが乗車しており、移動体Ｙには、通信端末２を携帯している利用者Ｂが乗車しているとする。
【００２２】
この場合において、通信端末２から提供される所定の情報として、移動体Ｙの運行情報である「Ｅ駅行、Ｅ駅前１ｋｍ」の情報が生成部１１に提供されたとする。
【００２３】
このとき、移動体Ｘに遅延が発生した場合、利用者Ａは、通信端末１を用いて運行情報提供装置１０にアクセスし、提供部１２により移動体Ｙの運行情報である「Ｅ駅行、Ｅ駅前１ｋｍ」の情報を得たとする。
【００２４】
これにより、利用者Ａは、自身が乗車している移動体Ｘの現在位置と、運行情報提供装置１０にて提供された移動体Ｙの運行情報と、を対比して、このまま、待機するか、或いは、他の移動手段を利用して移動体Ｙに乗り換えるか、判断がし易くなる。
【００２５】
このように、本実施形態では、通信端末１又は通信端末２から提供された所定の情報を通信端末１又は通信端末２で共有することが可能になり、他の移動体の移動状況に追従した運行情報を提供することができる。
【００２６】
このため、本実施形態では、通信端末１又は通信端末２から提供された所定の情報を通信端末１及び通信端末２が共有することで、他の移動体の運行情報に関し、現況に近い運行情報を提供し得るといえる。
【００２７】
（第２の実施形態）
図２乃至図５を用いて、本発明の他の実施形態（第２の実施形態）について説明する。まず、図２及び図３を用いて、本実施形態に係る運行情報提供装置２００、及び運行情報提供装置２００を具備する運行情報提供システムの構成について説明する。
【００２８】
図２は、本実施形態（第２の実施形態）に係る運行情報提供装置２００を具備する運行情報提供システムのシステム構成図である。図３は、本実施形態（第２の実施形態）に係る運行情報提供装置２００を具備する運行情報提供システムのブロック図である。
【００２９】
図２及び図３に例示されるように、運行情報提供装置２００は、通信端末１１０又は通信端末１２０により提供された所定の情報を集約し、集約した所定の情報に基づいて、運行情報を生成する。
【００３０】
したがって、利用者は、乗車したい移動体を指定し、自身の所定の情報を提供する代わりに、他の利用者が提供する所定の情報から、移動体の運行情報を得ることができるといえる。
【００３１】
本実施形態において、運行情報提供装置２００は、主に、制御部２１０及び記憶部２２０を具備している。なお、これら制御部２１０及び記憶部２２０の具体的な構成については、後述する。
【００３２】
また、本実施形態において、運行情報提供装置２００を具備する運行情報提供システムは、運行情報提供装置２００に加え、通信端末１１０、通信端末１２０、管理端末２３０及びネットワーク３００を具備している。
【００３３】
なお、本実施形態において、通信端末１１０及び通信端末１２０は、互いに同質の構成を具備しているため、以下、通信端末１１０及び通信端末１２０を総称して通信端末１００と示す。
【００３４】
通信端末１００は、「自身の位置情報」を取得する機能１１１と、後述する制御部２１０との情報の通信を行う機能１１２と、を具備している。
【００３５】
この「自身の位置情報」を取得する機能１１１は、主に、ＧＰＳ（Ｇｌｏｂａｌ  Ｐｏｓｉｔｉｏｎｉｎｇ  Ｓｙｓｔｅｍ）等の位置取得機能を用いて、「自身の位置情報」を取得している。なお、「自身の位置情報」については、例えば、位置情報を示す呼制御信号であり、この呼制御信号を定期的に自動送信している。
【００３６】
また、制御部２１０と情報の通信を行う機能１１２は、主に、取得した「自身の位置情報」とともに、「自身の所定の情報」、「所望する移動体名」を制御部２１０に送信する役目を果たしている。
【００３７】
ここで、「自身の所定の情報」とは、「移動体の行先」「移動体の現在位置」をいう。また、「所望する移動体名」とは、利用者が乗り換えたい移動体の移動体名である。なお、「移動体の行先」については、利用者が、運行情報提供装置２００にアクセスした際に、手動で送信している。
【００３８】
また、この制御部２１０と情報の通信を行う機能１１２は、後述する制御部２１０の運行情報送信部２１４にて送信された「運行情報」を受信する役目を果たしている。
【００３９】
ここで、「運行情報」とは、後述する運行情報生成部２１３にて生成する「運転整理あり（行先が異なる）」「運転整理あり（位置が乖離）」等をいう。また、「運行情報」には、データベース問合せ部２１２にて取得する「移動体の行先」「移動体の現在位置」等も含む。また、「運行情報」には、正規ダイヤ情報データベース２２２にて取得する「移動体の行先」「移動体の正規位置」等も含む。
【００４０】
運行情報提供装置２００は、上述したように、制御部２１０及び記憶部２２０を具備している。この制御部２１０は、利用者が提供する所定の情報に基づいて、運行情報を生成する役目を果たしている。
【００４１】
また、制御部２１０は、生成した運行情報を通信端末１００で共有するために、通信端末１００に送信する役目を果たしている。なお、この制御部２１０の説明については、後述する。
【００４２】
運行情報提供装置２００の記憶部２２０は、主に、移動体情報データベース２２１及び正規ダイヤ情報データベース２２２を格納する役目を果たしている。
【００４３】
この移動体情報データベース２２１には、平時は情報が記憶されておらず、通信端末情報受信部２１１により受信した通信端末１００の所定の情報に基づいて、制御部２１０の処理により「移動体名」「移動体の行先」「移動体の現在位置」が記憶される。
【００４４】
ただし、制御部２１０は、移動体情報データベース２２１に、一定の期間、所定の情報を記憶しない場合には、この情報を破棄するようにしている。これにより、本実施形態では、例えば、鉄道会社による運転整理が完了された後に、この所定の情報が移動体情報データベース２２１に残らないようにしている。
【００４５】
したがって、本実施形態によれば、利用者の混乱を抑制することが可能になるといえる。
【００４６】
記憶部２２０の正規ダイヤ情報データベース２２２には、各移動体の平時の運行情報として、「移動体名」「移動体の行先」「移動体の正規位置」が記憶されている。
【００４７】
この「移動体の行先」には、移動体の最終到着駅と途中に経由する駅の情報が記憶されている。また、「移動体の正規位置」には、移動体の出発時間と到着時間とから算出される線路上位置が記憶されている。
【００４８】
なお、正規ダイヤ情報データベース２２２には、上述したように、各移動体の平時の運行情報が記憶されているが、この情報は、管理端末２３０により、例えば、鉄道会社が公開する運行ダイヤを編集した情報を、入力している。
【００４９】
本実施形態において、運行情報提供装置２００の制御部２１０は、通信端末情報受信部２１１、データベース問合せ部２１２、運行情報生成部２１３及び運行情報送信部２１４を具備している。
【００５０】
この通信端末情報受信部２１１は、通信端末１００にて送信された所定の情報を集約し、移動体情報データベース２２１に随時、所定の情報を追加又は更新する。
【００５１】
なお、通信端末１００にて送信された所定の情報を集約する際、「位置情報」が移動体の路線上に位置しない場合には、利用者がこの移動体に乗車していないと判断し、この所定の情報を破棄している。このように、より確実に正確な情報を集約するようにしている。
【００５２】
ここで、所定の情報を集約する処理例として、「移動体の現在位置」は、各通信端末１００から送信された所定の情報の平均値を算出する。また、「移動体の行先」は、各通信端末１００から送信された所定の情報の多数値を算出する。
【００５３】
制御部２１０のデータベース問合せ部２１２は、通信端末１００にて指定された「所望する移動体名」を移動体情報データベース２２１から検索する。そして、データベース問合せ部２１２は、「所望する移動体名」が存在する場合には、移動体情報データベース２２１から「移動体の行先」「移動体の現在位置」を取得する。
【００５４】
また、データベース問合せ部２１２は、通信端末１００にて指定された「所望する移動体名」を正規ダイヤ情報データベース２２２から検索する。そして、データベース問合せ部２１２は、「所望する移動体名」を検索し、この「所望する移動体名」が存在する場合には、正規ダイヤ情報データベース２２２から「移動体の行先」「移動体の正規位置」を取得する。
【００５５】
制御部２１０の運行情報生成部２１３は、移動体情報データベース２２１から取得した「移動体の行先」と、正規ダイヤ情報データベース２２２から取得した「移動体の行先」とが、異なるか否かを判定する。
【００５６】
このように、運行情報生成部２１３は、移動体情報データベース２２１から取得した「移動体の行先」と、正規ダイヤ情報データベース２２２から取得した「移動体の行先」とを対比することで、「運転整理（行先が異なる）」の有無を推定している。
【００５７】
さらに、運行情報生成部２１３は、移動体情報データベース２２１から取得した「移動体の現在位置」と、正規ダイヤ情報データベース２２２から取得した「移動体の正規位置」と、が異なるか否かを判定する。
【００５８】
このように、運行情報生成部２１３は、移動体情報データベース２２１から取得した「移動体の現在位置」と、正規ダイヤ情報データベース２２２から取得した「移動体の正規位置」とを対比することで「運転整理（位置に乖離）の有無」を推定している。
【００５９】
なお、「移動体の現在位置」と「移動体の正規位置」とを対比した際に、乖離の度合いの設定は、適宜、設定可能であるが、一例を示すと、距離の離間が「２ｋｍ未満」である場合には、乖離なしと推定する。この「２ｋｍ未満」とは、移動体の平均時速を６０ｋｍと想定し、遅延時間が２分以内である場合である。
【００６０】
制御部２１０の運行情報送信部２１４は、運行情報生成部２１３にて推定した運行情報を通信端末１００に送信する役目を果たしている。これにより、通信端末１００は、所望する移動体の「移動体の行先」「移動体の現在位置」「運転整理の有無」を受信し、利用者がこれら「移動体の行先」「移動体の現在位置」「運転整理の有無」を把握することが可能になる。
【００６１】
なお、移動体情報データベース２２１に「移動体名」が存在しない場合には、「利用者情報なし」を通知する。なお、移動体情報データベース２２１及び正規ダイヤ情報データベース２２２に「移動体名」が存在しない場合には、「該当移動体なし」を送信している。
【００６２】
このように、本実施形態では、各通信端末１００から送信された「所定の情報」に基づいて、運行情報を生成することで、移動体に追従した運行情報を提供することができる。
【００６３】
次に、図４を用いて、制御部２１０における情報更新処理について説明する。図４は、本実施形態（第２の実施形態）に係る情報更新処理のフローチャートである。
【００６４】
ステップＳ２１０−１１において、制御部２１０は、通信端末情報受信部２１１にて通信端末１００から所定の情報を受信する。ここで、所定の情報とは、例えば、通信端末１００を利用している利用者が乗車している移動体の「移動体名」「移動体の行先」「移動体の現在位置」等をいう。
【００６５】
ステップＳ２１０−１２において、制御部２１０は、通信端末１００から受信した所定の情報を解析する。具体的には、この処理において、制御部２１０は、所定の情報のうち、「移動体の現在位置」が、この移動体の路線上であるか否かを解析している。
【００６６】
ステップＳ２１０−１３において、制御部２１０は、上記ステップＳ２１０−１２で解析した「移動体の現在位置」が、この移動体の路線上であるか否かを判定する。
【００６７】
この処理において、制御部２１０は、「移動体の現在位置」が、この移動体の路線上であると判定した場合には、ステップＳ２１０−１４に処理を移す。一方、この処理において、制御部２１０は、「移動体の位置情報」が、この移動体の路線上でないと判定した場合には、ステップＳ２１０−１６に処理を移す。
【００６８】
ステップＳ２１０−１４において、制御部２１０は、上記ステップＳ２１０−１１で受信した所定の情報を集約又は選出する。なお、この処理において、受信した所定の情報を集約するとは、各通信端末の所定の情報の平均を算出することである。
【００６９】
また、この処理において、受信した所定の情報を選出するとは、各通信端末の所定の情報から多数を占める情報を選出することをいう。また、各通信端末の所定の情報から幾つかの情報を選出して、選出した情報の平均を算出しても良い。
【００７０】
また、この処理において、制御部２１０は、ステップＳ２１０−１１にて受信した所定の情報の数に応じて、この所定の情報に信頼度を付すようにすると良い。ここで、所定の情報の数とは、一つの通信端末１００から多数の所定の情報が送信された場合ではなく、多数の通信端末１００から所定の情報が送信された場合をいう。
【００７１】
例えば、多数の通信端末１００から、ある「移動体」に係る「所定の情報」が送信され、この「所定の情報」に基づいて生成された運行情報と、少数の通信端末１００から送信された「所定の情報」に基づいて生成された運行情報と、の信頼度を異ならせる。
【００７２】
この場合、多数の通信端末１００の方が、少数の通信端末１００よりも、信頼度を高くし、通信端末１００に運行情報を提供する際、例えば、所定のマークを付して提供すると良い。
【００７３】
これにより、利用者が、運行情報提供装置２００により送信された運行情報に対し、信頼度に応じて、このまま待機するか、或いは乗り換えるかを判断することが可能になる。
【００７４】
ステップＳ２１０−１５において、制御部２１０は、移動体情報データベース２２１の更新処理を行う。具体的には、この処理において、制御部２１０は、上記ステップＳ２１０−１４で集約又は選出した情報を移動体情報データベース２２１に書き換える処理を行う。
【００７５】
ここで、この処理において、制御部２１０は、書き換えた情報に関し、この情報が、所定時間経過しても、書き換えられない場合には、この情報を破棄するようにしている。
【００７６】
これにより、例えば、鉄道会社により運転整理が完了した後において、この情報が残らないようにしている。したがって、利用者の混乱を抑制することが可能になるといえる。
【００７７】
ステップＳ２１０−１６において、制御部２１０は、上記ステップＳ２１０−１３で「移動体の位置情報」が、この移動体の路線上でないと判定した場合には、上記ステップＳ２１０−１１で受信した所定の情報を破棄する。このように、より確実に正確な情報を集約するようにしている。
【００７８】
次に、図５を用いて、情報提供処理について説明する。図５は、本実施形態（第２の実施形態）に係る情報提供処理のフローチャートである。
【００７９】
ステップＳ２１０−２１において、制御部２１０は、通信端末１００から「所望する移動体名」を受信する。なお、この処理において、「所望する移動体名」とは、例えば、通信端末１００を利用している利用者が乗り換えを予定している移動体の「移動体名」である。
【００８０】
ステップＳ２１０−２２において、制御部２１０は、上記ステップＳ２１０−２１で受信した「所望する移動体名」を移動体情報データベース２２１及び正規ダイヤ情報データベース２２２に問い合わせる。
【００８１】
ステップＳ２１０−３０において、制御部２１０は、上記ステップＳ２１０−２１で受信した「所望する移動体名」が移動体情報データベース２２１に有るか否かを判定する。
【００８２】
この処理において、制御部２１０は、「所望する移動体名」が移動体情報データベース２２１に有ると判定した場合には、ステップＳ２１０−３１に処理を移す。一方、この処理において、制御部２１０は、「所望する移動体名」が移動体情報データベース２２１に無いと判定した場合には、ステップＳ２１０―４０に処理を移す。
【００８３】
ステップＳ２１０−３１において、制御部２１０は、移動体情報データベース２２１から「所望する移動体」の「移動体の行先」「移動体の現在位置」を取得する。また、この処理において、制御部２１０は、正規ダイヤ情報データベース２２２から「所望する移動体」の「移動体の行先」「移動体の正規位置」を取得する。
【００８４】
ステップＳ２１０−３２において、制御部２１０は、上記ステップＳ２１０−３１で取得した「移動体の行先」が異なるか否かを判定する。具体的には、この処理において、制御部２１０は、移動体情報データベース２２１から取得した「移動体の行先」と正規ダイヤ情報データベース２２２から取得した「移動体の行先」とを対比し、異なるか否かを判定する。
【００８５】
この処理において、制御部２１０は、「移動体の行先」が異なると判定した場合には、ステップＳ２１０−３３に処理を移す。一方、この処理において、制御部２１０は、「移動体の行先」が異ならないと判定した場合には、ステップＳ２１０−３４に処理を移す。
【００８６】
ステップＳ２１０−３３において、制御部２１０は、通信端末１００に「運転整理ある（行先が異なる）」旨を通知するための情報として、運行情報送信部２１４に所定のコマンドをセットする。
【００８７】
ステップＳ２１０−３４において、制御部２１０は、「位置に乖離」があるか否かを判定する。具体的には、この処理において、移動体情報データベース２２１から取得した「所望する移動体」の「移動体の現在位置」と、正規ダイヤ情報データベース２２２から取得した「所望する移動体」の「移動体の正規位置」とを対比する。そして、制御部２１０は、これら「移動体の現在位置」と「移動体の正規位置」とが異なる場合には、「位置に乖離」ありと判定する。
【００８８】
この処理において、制御部２１０は、「位置に乖離」があると判定した場合には、ステップＳ２１０−３５に処理を移す。一方、この処理において、制御部２１０は、「位置に乖離」がないと判定した場合には、ステップＳ２１０−３６に処理を移す。
【００８９】
ここで、「位置に乖離」とは、「移動体の現在位置」と「移動体の正規位置」との距離の離間をいう。なお、距離の離間の設定は、適宜、設定可能であるが、一例を示すと、距離の離間が「２ｋｍ未満」である場合には、乖離なしと推定する。この「２ｋｍ未満」とは、移動体の平均時速を６０ｋｍと想定し、遅延時間が２分以内である場合である。
【００９０】
ステップＳ２１０−３５において、制御部２１０は、通信端末１００に「運転整理あり（位置に乖離）」旨を通知するための情報として、運行情報送信部２１４に所定のコマンドをセットする。
【００９１】
ステップＳ２１０−３６において、制御部２１０は、通信端末１００に「運転整理なし」旨を通知するための情報として、運行情報送信部２１４に所定のコマンドをセットする。
【００９２】
ステップＳ２１０−４０において、制御部２１０は、上記ステップＳ２１０−２１で受信した「所望する移動体名」が正規ダイヤ情報データベース２２２に有るか否かを判定する。
【００９３】
この処理において、制御部２１０は、「所望する移動体名」が正規ダイヤ情報データベース２２２に有ると判定した場合には、ステップＳ２１０−４１に処理を移す。一方、この処理において、制御部２１０は、「所望する移動体名」が正規ダイヤ情報データベース２２２に無いと判定した場合には、ステップＳ２１０―４２に処理を移す。
【００９４】
ステップＳ２１０−４１において、制御部２１０は、通信端末１００に「利用者情報なし」旨を通知するための情報として、運行情報送信部２１４に所定のコマンドをセットする。
【００９５】
ステップＳ２１０−４２において、制御部２１０は、通信端末１００に「該当移動体なし」旨を通知するための情報として、運行情報送信部２１４に所定のコマンドをセットする。
【００９６】
ステップＳ２１０−４３において、制御部２１０は、運行情報送信部２１４にセットされた所定のコマンドに応じた情報を、通信端末１００に送信する。
【００９７】
ここで、本実施形態の情報提供処理の一例を示すと、まず、設定として、Ａ駅、Ｂ駅、Ｃ駅という駅舎の並びの鉄道路線における、移動体Ｙの運行情報を確認するとする。
【００９８】
そして、移動体情報データベース２２１には、「移動体Ｙ、Ｂ駅行、Ｂ駅前１ｋｍ」の情報が記憶されているとする。これに対し、正規ダイヤ情報データベース２２２には、「移動体Ｙ、Ｃ駅行、Ｃ駅前３ｋｍ」の情報が記憶されているとする。
【００９９】
この場合において、制御部２１０は、「移動体の行先」が異なるため、通信端末１００に「運転整理あり（行先が異なる）」旨を通知するため、運行情報送信部２１４に「運転整理あり（行先が異なる）」に対応するコマンドをセットする。
【０１００】
また、本実施形態の情報提供処理の他例を示すと、移動体情報データベース２２１には「移動体Ｙ、Ｃ駅行、Ｃ駅前３ｋｍ」の情報が記憶されているとする。これに対し、正規ダイヤ情報データベース２２２には、「移動体Ｙ、Ｃ駅行、Ｃ駅前１ｋｍ」の情報が記憶されているとする。
【０１０１】
この場合において、制御部２１０は、「移動体の行先」は同じであるが、「位置に乖離あり」であるため、通信端末１００に「運転整理あり（位置に乖離）」旨を通知するため、運行情報送信部２１４に「運転整理あり（位置に乖離）」に対応するコマンドをセットする。
【０１０２】
このように、本実施形態では、利用者が、例えば、移動体Ｘに乗車している際に、この移動体Ｘに遅延が発生した場合、このまま待機するか、移動体Ｙに乗り換えるか、判断し易くなる。
【０１０３】
したがって、本実施形態によれば、利用者が移動体の移動状況に追従した判断を行い易くなる運行情報を提供することが可能になるといえる。
【０１０４】
よって、本実施形態では、移動体の移動状況に追従した運行情報を提供することで、利用者が、乗車している移動体に遅延が生じた場合、このまま待機するか、或いは他の移動手段を用いて乗り換えるかの判断を迅速に行うことができる。
【０１０５】
（第３の実施形態）
図６及び図７を用いて、本発明の他の実施形態（第３の実施形態）について説明する。なお、本実施形態は、上述の第２の実施形態に対し、制御部６１０に到着情報生成部６１５を具備した点が相違する。
【０１０６】
また、これに伴い、データベース問合せ部６１２により移動体情報データベース２２１及び正規ダイヤ情報データベース２２２への問い合わせ内容が相違する。
【０１０７】
これに対し、他の点は、上述の第２の実施形態に相当するため、相当する部分については、同一又は相当する符号を付して、その説明を省略する。
【０１０８】
まず、図６を用いて、本実施形態の本実施形態に係る運行情報提供装置６００、及び運行情報提供装置６００を具備する運行情報提供システムの構成について説明する。図６は、本実施形態（第３の実施形態）に係る運行情報提供装置６００を具備する運行情報提供システムのシステム構成図である。
【０１０９】
図６に例示されるように、運行情報提供装置６００の制御部６１０は、通信端末情報受信部２１１、データベース問合せ部６１２、運行情報生成部２１３、運行情報送信部２１４及び到着情報生成部６１５を具備している。
【０１１０】
このデータベース問合せ部６１２は、通信端末１００から指定された「所望する目的地」に向かう「移動体名」を移動体情報データベース２２１から検索する役目を果たしている。
【０１１１】
そして、データベース問合せ部６１２は、「所望する目的地」に向かう「移動体名」が存在する場合には、移動体情報データベース２２１から「移動体の行先」「移動体の現在位置」を取得する。
【０１１２】
このとき、データベース問合せ部６１２は、「所望する目的地」に向かう「移動体名」が、複数存在する場合には、移動体情報データベース２２１から全ての移動体の「移動体の行先」「移動体の現在位置」を取得する。
【０１１３】
また、データベース問合せ部６１２は、通信端末１００から指定された「所望する目的地」に向かう「移動体名」を正規ダイヤ情報データベース２２２から検索する役目を果たしている。
【０１１４】
そして、データベース問合せ部６１２は、「所望する目的地」に向かう「移動体名」が存在する場合には、正規ダイヤ情報データベース２２２から「移動体の行先」「移動体の正規位置」を取得する。
【０１１５】
このとき、データベース問合せ部６１２は、「所望する目的地」に向かう「移動体名」が、複数存在する場合には、正規ダイヤ情報データベース２２２から全ての移動体の「移動体の行先」「移動体の正規位置」を取得する。
【０１１６】
制御部６１０の到着情報生成部６１５は、移動体情報データベース２２１から取得した「移動体の現在位置」と、正規ダイヤ情報データベース２２２から取得した「移動体の正規位置」とから、「所望する目的地」までの所要時間を算出する。
【０１１７】
そして、到着情報生成部６１５は、算出した「所望する目的地」までの所要時間を「運転整理あり（行先が異なる）」「運転整理あり（位置が乖離）」に付加する。
【０１１８】
このように、本実施形態では、「所望する移動体」の「移動体の行先」「移動体の現在位置」を通知するとともに、「所望する目的地」までの所要時間を通知することが可能になる。
【０１１９】
したがって、本実施形態では、利用者が「所望する目的地」までの所要時間から、利用者に乗り換える移動体を選択し易いことがいえる。
【０１２０】
図７を用いて、情報提供処理について説明する。図７は、本実施形態（第３の実施形態）に係る情報提供処理のフローチャートである。
【０１２１】
ステップＳ６１０−２１において、制御部６１０は、通信端末１００から「所望する目的地」を受信する。
【０１２２】
ステップＳ６１０−２２において、制御部６１０は、上記ステップＳ６１０−２１で受信した「所望する目的地」に向かう「移動体名」を移動体情報データベース２２１及び正規ダイヤ情報データベース２２２に問い合わせる。
【０１２３】
ここで、この処理において、制御部６１０は、「所定の目的地」にむかう「移動体名」が複数、存在する場合には、全ての「移動体名」を問い合わせている。
【０１２４】
ステップＳ６１０−３０において、制御部６１０は、上記ステップＳ６１０−２１で問い合わせた「移動体名」が移動体情報データベース２２１に有るか否かを判定する。
【０１２５】
この処理において、制御部６１０は、「移動体名」が移動体情報データベース２２１に有ると判定した場合には、ステップＳ６１０−３１に処理を移す。一方、この処理において、制御部６１０は、「移動体名」が移動体情報データベース２２１に無いと判定した場合には、ステップＳ６１０―４０に処理を移す。
【０１２６】
ステップＳ６１０−３１において、制御部６１０は、移動体情報データベース２２１から「移動体の行先」「移動体の現在位置」を取得する。また、この処理において、制御部６１０は、正規ダイヤ情報データベース２２２から「移動体の行先」「移動体の正規位置」を取得する。
【０１２７】
なお、この処理において、制御部６１０は、移動体情報データベース２２１から「所望する目的地」にむかう「移動体名」の全ての「移動体の行先」「移動体の現在位置」を取得する。
【０１２８】
同様に、この処理において、制御部６１０は、正規ダイヤ情報データベース２２２から「所望する目的地」にむかう「移動体名」の全ての「移動体の行先」「移動体の正規位置」を取得する。
【０１２９】
ステップＳ６１０−３２において、制御部６１０は、上記ステップＳ６１０−３１で取得した「移動体の行先」が異なるか否かを判定する。具体的には、この処理において、制御部６１０は、移動体情報データベース２２１から取得した「移動体の行先」と正規ダイヤ情報データベース２２２から取得した「移動体の行先」とを対比する。そして、制御部６１０は、対比した「移動体の行先」が異なるか否かを判定する。
【０１３０】
この処理において、制御部６１０は、「移動体の行先」が異なると判定した場合には、ステップＳ６１０−３３に処理を移す。一方、この処理において、制御部６１０は、「移動体の行先」が異ならないと判定した場合には、ステップＳ６１０−３４に処理を移す。
【０１３１】
ステップＳ６１０−３３において、制御部６１０は、通信端末１００に「運転整理ある（行先が異なる）」旨を通知するため、「運転整理あり（行先が異なる）」に対応するコマンドを運行情報送信部２１４にセットする。
【０１３２】
ステップＳ６１０−３４において、制御部６１０は、「位置に乖離」があるか否かを判定する。具体的には、この処理において、制御部６１０は、移動体情報データベース２２１から取得した「移動体の現在位置」と、正規ダイヤ情報データベース２２２から取得した「移動体の正規位置」とを対比する。そして、制御部６１０は、対比した「移動体の現在位置」と「移動体の正規位置」とが異なる場合には、「位置に乖離」ありと判定する。
【０１３３】
この処理において、制御部６１０は、「位置に乖離」があると判定した場合には、ステップＳ６１０−３５に処理を移す。一方、この処理において、制御部６１０は、「位置に乖離」がないと判定した場合には、ステップＳ６１０−３６に処理を移す。
【０１３４】
ステップＳ６１０−３５において、制御部６１０は、通信端末１００に「運転整理あり（位置に乖離）」旨を通知するため、「運転整理あり（位置に乖離）」に対応するコマンドを運行情報送信部２１４にセットする。
【０１３５】
ステップＳ６１０−３６において、制御部６１０は、通信端末１００に「運転整理なし」旨を通知するため、「運転整理なし」に対応するコマンドを運行情報送信部２１４にセットする。
【０１３６】
ステップＳ６１０−３７において、制御部６１０は、全ての「移動体名」を確認したか否かを判定する。この処理において、制御部６１０は、全ての「移動体名」を確認したと判定した場合には、ステップＳ６１０−３８に処理を移す。一方、この処理において、制御部６１０は、全ての「移動体名」を確認していないと判定した場合には、ステップＳ６１０−３１に処理を戻す。
【０１３７】
ステップＳ６１０−３８において、制御部６１０は、到着順序見込みを算出し、算出した到着順序見込みを運行情報に付加する。具体的には、この処理において、制御部６１０は、移動体情報データベース２２１から取得した「移動体の現在位置」と、正規ダイヤ情報データベース２２２から取得した「移動体の正規位置」とから、「所望する目的地」までの所要時間を算出している。
【０１３８】
ステップＳ６１０−４０において、制御部６１０は、上記ステップＳ６１０−２１で問い合わせた「移動体名」が正規ダイヤ情報データベース２２２に有るか否かを判定する。
【０１３９】
この処理において、制御部６１０は、「移動体名」が正規ダイヤ情報データベース２２２に有ると判定した場合には、ステップＳ６１０−４１に処理を移す。一方、この処理において、制御部６１０は、「移動体名」が正規ダイヤ情報データベース２２２に無いと判定した場合には、ステップＳ６１０―４２に処理を移す。
【０１４０】
ステップＳ６１０−４１において、制御部６１０は、通信端末１００に「利用者情報なし」旨を通知するため、「利用者情報なし」に対応するコマンドを運行情報送信部２１４にセットする。
【０１４１】
ステップＳ６１０−４２において、制御部６１０は、通信端末１００に「該当移動体なし」旨を通知するため、「該当移動体なし」に対応するコマンドを運行情報送信部２１４にセットする。
【０１４２】
ステップＳ６１０−４３において、制御部２１０は、運行情報送信部２１４にてセットした情報を送信する。
【０１４３】
ここで、本実施形態の情報提供処理の一例を示すと、まず、設定として、Ａ駅、Ｂ駅、Ｃ駅という駅舎の並びの鉄道路線における、移動体Ｙの運行情報を確認するとする。
【０１４４】
このとき、移動体情報データベース２２１には、「移動体Ｙ、Ｂ駅行、Ｂ駅前１ｋｍ」の情報が記憶されているとする。これに対し、正規ダイヤ情報データベース２２２には、「移動体Ｙ、Ｃ駅行、Ｃ駅前３ｋｍ」の情報が記憶されているとする。
【０１４５】
そして、制御部６１０は、移動体情報データベース２２１に記憶されている情報及び正規ダイヤ情報データベース２２２に記憶されている情報に基づいて、Ｃ駅までの到着予定時刻を算出する。
【０１４６】
一方、制御部６１０は、Ｄ駅、Ｅ駅、Ｃ駅という駅舎の並びの鉄道路線における、移動体Ｚの運行情報も確認するとする。
【０１４７】
このとき、移動体情報データベース２２１には、「移動体Ｚ、Ｄ駅行、Ｄ駅前１ｋｍ」の情報が記憶されているとする。これに対し、正規ダイヤ情報データベース２２２には、「移動体Ｚ、Ｃ駅行、Ｃ駅前３ｋｍ」の情報が記憶されているとする。
【０１４８】
そして、制御部６１０は、移動体情報データベース２２１に記憶されている情報及び正規ダイヤ情報データベース２２２に記憶されている情報に基づいて、Ｃ駅までの到着予定時刻を算出する。
【０１４９】
これにより、Ｃ駅に最も早く到着する移動体を提供することが可能になる。
【０１５０】
このように、本実施形態では、利用者が、例えば、移動体Ｘに乗車している際に、この移動体Ｘに遅延が発生した場合、このまま、待機するか、移動体Ｙに乗り換えるか、移動体Ｚに乗り換えるか、を判断し易くなる。
【０１５１】
したがって、本実施形態では、利用者が移動体の移動状況に追従した判断を、より行い易くなる運行情報を提供することが可能になるといえる。
【０１５２】
よって、本実施形態によれば、移動体の移動状況に、より追従した運行情報を提供することができる。
【０１５３】
以上のように、上述の第１の実施形態乃至第３の実施形態は、各通信端末１００から提供された所定の情報に基づいて、運行情報を生成し、生成した運行情報を各通信端末１００に提供可能にしている。
【０１５４】
よって、上述の第１の実施形態乃至第３の実施形態によれば、移動体の移動状況に追従した運行情報を提供することができ、利用者が迅速な判断を行うことができる。
【符号の説明】
【０１５５】
１    通信端末
２    通信端末
１０    運行情報提供装置
１１    生成部
１２    提供部
１００    通信端末
２００    運行情報提供装置
２１０    制御部
２１１    通信端末情報受信部
２１２    データベース問合せ部
２１３    運行情報生成部
２１４    運行情報送信部
２２０    記憶部
２２１    移動体情報データベース
２２２    正規ダイヤ情報データベース
２３０    管理端末
３００    ネットワーク
【図１】
2015199474.tif 000003
【図２】
2015199474.tif 000004
【図３】
2015199474.tif 000005
【図４】
2015199474.tif 000006
【図５】
2015199474.tif 000007
【図６】
2015199474.tif 000008
【図７】
2015199474.tif 000009